(57)【要約】 【課題】  世界中の各地域で提供される様々なサービスに対応するプロファイルの設定を自動的に行う移動通信端末を提供する。【解決手段】  現在位置推定部１３は現在位置の推定を行い、推定結果をプロファイル決定部１４へ送る。プロファイル決定部１４は記憶部１２中の地域別プロファイルデータベースを参照し、現在位置において利用可能なサービスの中から利用するサービスを選択する。続いてプロファイル決定部１４は、そのサービスを利用するために必要なプロファイルを決定する。プロファイルの決定後、プロファイルの決定後、プロファイルが示す無線システムに対応する無線機１１が通信を開始する。【選択図】    図１
2005079819.tif 000002
【特許請求の範囲】
【請求項１】
外部から無線通信により位置情報を取得し、該位置情報に基づいて現在位置を検出する位置検出手段と、
位置および該位置において利用可能な無線通信サービスおよび該無線通信サービスに関する設定が対応付けられた設定情報を記憶する記憶手段と、
前記記憶手段から前記設定情報を読み出し、前記位置検出手段によって検出された現在位置に基づいて、該現在位置において利用可能な前記無線通信サービスの設定を前記設定情報の中から選択する選択手段と、
前記選択手段によって選択された設定に基づいて無線通信を行う通信手段と、
を具備することを特徴とする移動通信端末。
【請求項２】
外部から無線通信により位置情報を取得し、該位置情報に基づいて現在位置を検出する位置検出手段と、
出発地および該出発地から到着地までの飛行機による移動の所要時間が対応付けられた位置時間情報と、位置および該位置において利用可能な無線通信サービスおよび該無線通信サービスに関する設定が対応付けられた設定情報と、時刻とを記憶する記憶手段と、
前記位置検出手段によって検出された前記現在位置が空港であるかどうか判定する判定手段と、
前記判定手段によって前記現在位置が空港であると判定された場合に、電源の停止動作を検出し、該停止動作が行われた時刻を前記記憶手段に書き込む書込手段と、
電源の投入動作を検出し、前記記憶手段から前記停止動作が行われた時刻を読み出し、前記電源の停止時間を算出する算出手段と、
前記記憶手段から前記位置時間情報を読み出し、該位置時間情報および前記算出手段によって算出された前記停止時間に基づいて前記位置時間情報が示す前記到着地の優先度を決定する決定手段と、
前記記憶手段から前記設定情報を読み出し、前記決定手段によって決定された優先度に基づいて、前記到着地において利用可能な前記無線通信サービスの設定を前記設定情報の中から選択する選択手段と、
前記選択手段によって選択された設定に基づいて無線通信を行う通信手段と、
を具備することを特徴とする移動通信端末。
【請求項３】
前記位置検出手段は、人工衛星から現在位置に関する位置情報を受信し、該位置情報に基づいて現在位置を検出するＧＰＳ受信機を具備することを特徴とする請求項１または請求項２に記載の移動通信端末。
【請求項４】
前記位置検出手段は、外部の無線タグ中の位置情報を無線通信により読み出し、読み出した前記位置情報に基づいて現在位置を検出する無線タグリーダを具備することを特徴とする請求項１または請求項２に記載の移動通信端末。
【請求項５】
過去の位置を示す履歴情報と、位置および該位置において利用可能な無線通信サービスおよび該無線通信サービスに関する設定が対応付けられた設定情報とを記憶する記憶手段と、
前記記憶手段から前記履歴情報を読み出し、該履歴情報が示す前記過去の位置の優先度を決定する決定手段と、
前記記憶手段から前記設定情報を読み出し、前記決定手段によって決定された優先度に基づいて、前記履歴情報が示す位置において利用可能な前記無線通信サービスの設定を前記設定情報の中から選択する選択手段と、
前記選択手段によって選択された設定により無線通信を行う通信手段と、
を具備することを特徴とする移動通信端末。
【請求項６】
位置および該位置の環境に関する情報が対応付けられた環境地理情報と、位置および該位置において利用可能な無線通信サービスおよび該無線通信サービスに関する設定が対応付けられた設定情報とを記憶する記憶手段と、
外部の環境を検出する検出手段と、
前記記憶手段から前記環境地理情報を読み出し、前記検出手段によって検出された前記外部の環境に基づいて前記環境地理情報が示す位置の優先度を決定する決定手段と、
前記記憶手段から前記設定情報を読み出し、前記決定手段によって決定された優先度に基づいて、前記履歴情報が示す位置において利用可能な前記無線通信サービスの設定を前記設定情報の中から選択する選択手段と、
前記選択手段によって選択された設定により無線通信を行う通信手段と、
を具備することを特徴とする移動通信端末。
【発明の詳細な説明】
【技術分野】
【０００１】
この発明は、世界中の様々な地域において提供されている、無線通信によるサービスを利用する場合に、それらのサービスに対応する周波数や変調方式などのプロファイルを設定して無線通信を行う移動通信端末に関する。
【背景技術】
【０００２】
近年、無線通信を利用した単一あるいは複数のサービス（音声通話・データ通信など）に対応した移動通信端末が製品化されており、ユーザは多数の異なる国・地域において異なる事業者によって提供される様々なサービスを受けることが可能である。ユーザが携帯電話あるいは無線ＬＡＮなどの無線通信を利用したサービスを受ける場合、各サービスに対応する事業者・識別子・周波数・変調方式・プロトコルなどの情報を含むプロファイルの設定を移動通信端末に対して行う必要がある。この設定を行うことにより、ユーザは一台の移動通信端末を所持していれば、世界中の国・地域で単一あるいは複数のサービスを受けることができる。
【０００３】
特許文献１には、通信の契約先事業者が変更された場合に、通信に必要なチャネル周波数の設定を自動的に行う通信端末装置が記載されている。特許文献２には、移動無線端末から一定時間ごとに送信される情報を中間局・基地局を介して受信した統制局が、この情報から移動無線端末の現在の位置を知ると共に、時系列的に記憶した過去の位置から該当する移動無線端末の将来の位置を予想することができる通信システムが記載されている。また、特許文献３には、移動通信装置から受信した装置識別情報に基づいて、該当する移動通信装置の監視チャネルを決定し、移動通信装置にこれを通知する移動局装置が記載されている。
【特許文献１】特開２００３−１２５４３８号公報
【特許文献２】特開平６−３３４５９５号公報
【特許文献３】特開平６−３５１０６０号公報
【発明の開示】
【発明が解決しようとする課題】
【０００４】
しかし、従来の移動通信端末においては、ユーザが各地域で提供されているサービスを予め知っていなければならず、それを知らない場合にはどのようなサービスが提供されているのか調べる必要があった。また、ユーザは上述したプロファイルの設定を手動で行わなければならないため、このプロファイルの設定方法を予め知っておく必要もあった。このように、従来のプロファイルの設定は非常に煩雑であるという問題があった。
【０００５】
本発明は、上述した問題点に鑑みてなされたものであって、世界中の各地域で提供される様々なサービスに対応するプロファイルの設定を自動的に行う移動通信端末を提供することを目的とする。
【課題を解決するための手段】
【０００６】
本発明は上記の課題を解決するためになされたもので、請求項１に記載の発明は、外部から無線通信により位置情報を取得し、該位置情報に基づいて現在位置を検出する位置検出手段と、位置および該位置において利用可能な無線通信サービスおよび該無線通信サービスに関する設定が対応付けられた設定情報を記憶する記憶手段と、前記記憶手段から前記設定情報を読み出し、前記位置検出手段によって検出された現在位置に基づいて、該現在位置において利用可能な前記無線通信サービスの設定を前記設定情報の中から選択する選択手段と、前記選択手段によって選択された設定に基づいて無線通信を行う通信手段とを具備することを特徴とする移動通信端末である。
【０００７】
請求項２に記載の発明は、外部から無線通信により位置情報を取得し、該位置情報に基づいて現在位置を検出する位置検出手段と、出発地および該出発地から到着地までの飛行機による移動の所要時間が対応付けられた位置時間情報と、位置および該位置において利用可能な無線通信サービスおよび該無線通信サービスに関する設定が対応付けられた設定情報と、時刻とを記憶する記憶手段と、前記位置検出手段によって検出された前記現在位置が空港であるかどうか判定する判定手段と、前記判定手段によって前記現在位置が空港であると判定された場合に、電源の停止動作を検出し、該停止動作が行われた時刻を前記記憶手段に書き込む書込手段と、電源の投入動作を検出し、前記記憶手段から前記停止動作が行われた時刻を読み出し、前記電源の停止時間を算出する算出手段と、前記記憶手段から前記位置時間情報を読み出し、該位置時間情報および前記算出手段によって算出された前記停止時間に基づいて前記位置時間情報が示す前記到着地の優先度を決定する決定手段と、前記記憶手段から前記設定情報を読み出し、前記決定手段によって決定された優先度に基づいて、前記到着地において利用可能な前記無線通信サービスの設定を前記設定情報の中から選択する選択手段と、前記選択手段によって選択された設定に基づいて無線通信を行う通信手段とを具備することを特徴とする移動通信端末である。
【０００８】
請求項３に記載の発明は、請求項１または請求項２に記載の移動通信端末において、前記位置検出手段は、人工衛星から現在位置に関する位置情報を受信し、該位置情報に基づいて現在位置を検出するＧＰＳ受信機を具備することを特徴とする。
【０００９】
請求項４に記載の発明は、請求項１または請求項２に記載の移動通信端末において、前記位置検出手段は、外部の無線タグ中の位置情報を無線通信により読み出し、読み出した前記位置情報に基づいて現在位置を検出する無線タグリーダを具備することを特徴とする。
【００１０】
請求項５に記載の発明は、過去の位置を示す履歴情報と、位置および該位置において利用可能な無線通信サービスおよび該無線通信サービスに関する設定が対応付けられた設定情報とを記憶する記憶手段と、前記記憶手段から前記履歴情報を読み出し、該履歴情報が示す前記過去の位置の優先度を決定する決定手段と、前記記憶手段から前記設定情報を読み出し、前記決定手段によって決定された優先度に基づいて、前記履歴情報が示す位置において利用可能な前記無線通信サービスの設定を前記設定情報の中から選択する選択手段と、前記選択手段によって選択された設定により無線通信を行う通信手段とを具備することを特徴とする移動通信端末である。
【００１１】
請求項６に記載の発明は、位置および該位置の環境に関する情報が対応付けられた環境地理情報と、位置および該位置において利用可能な無線通信サービスおよび該無線通信サービスに関する設定が対応付けられた設定情報とを記憶する記憶手段と、外部の環境を検出する検出手段と、前記記憶手段から前記環境地理情報を読み出し、前記検出手段によって検出された前記外部の環境に基づいて前記環境地理情報が示す位置の優先度を決定する決定手段と、前記記憶手段から前記設定情報を読み出し、前記決定手段によって決定された優先度に基づいて、前記履歴情報が示す位置において利用可能な前記無線通信サービスの設定を前記設定情報の中から選択する選択手段と、前記選択手段によって選択された設定により無線通信を行う通信手段とを具備することを特徴とする移動通信端末である。
【発明の効果】
【００１２】
この発明によれば、外部との無線通信により得た情報、各種のセンサから得た情報等により現在位置を推定し、その推定結果に基づいて無線サービスを利用するために必要なプロファイルを決定するようにしたので、世界中の各地域で提供される様々なサービスに対応するプロファイルの設定を自動的に行うことができるという効果が得られる。
【発明を実施するための最良の形態】
【００１３】
以下、図面を参照し、この発明を実施するための最良の形態について説明する。図１は、この発明の一実施形態による移動通信端末の構成を示す図である。図において、１１は複数のシステムごとに設けられた無線機であり、データや各種情報の送受信に係る変復調や符号化などの処理を行う。各無線機１１は、ＣＤＭＡ２０００、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＤＣ（Ｐｅｒｓｏｎａｌ  Ｄｉｇｉｔａｌ  Ｃｅｌｌｕｌａｒ）、Ｗ−ＣＤＭＡ、無線ＬＡＮなどの無線システムに対応している。これにより、ユーザは異なる地域において各無線システムに対応した異なる無線サービスを利用することができる。なお、本実施形態における移動通信端末は携帯電話、ＰＨＳ（登録商標）、ＰＤＡ（Ｐｅｒｓｏｎａｌ  Ｄｉｇｉｔａｌ  Ａｓｓｉｓｔａｎｃｅ）などの、無線通信機能を有する携帯可能な移動通信端末である。
【００１４】
１２は記憶部であり、移動通信端末が利用可能なサービスが提供されている地域と、これらの各地域に提供されているサービスと、これらのサービスを利用するために必要なプロファイルとが関連付けられた地域別プロファイルデータベースが格納されている。なお、新しいサービスの導入などが行われた際に地域別プロファイルデータベースが更新されるようにしてもよい。１３は現在位置推定部であり、移動通信端末の現在位置を推定し、推定結果をプロファイル決定部１４へ送る。プロファイル決定部１４は記憶部１２中の地域別プロファイルデータベースを参照し、現在位置推定部１３から送られる現在位置の推定結果に基づいて、移動通信端末が現在属する地域で提供されるサービスを検索すると共に、そのサービスを受けるのに必要なプロファイルを決定する。
【００１５】
現在位置推定部１３は以下の動作により、移動通信端末の現在位置を推定する。現在位置推定部１３がＧＰＳ（Ｇｌｏｂａｌ  Ｐｏｓｉｔｉｏｎｉｎｇ  Ｓｙｓｔｅｍ）受信機（図示せず）を有する場合、ＧＰＳ受信機は衛星から受信した情報に基づいて現在位置（緯度・経度など）を推定する。また、現在位置推定部１３は以下のような動作を行うことも可能である。近年、ＩＣチップ内にアンテナを設け、情報を記憶すると共に外部と無線通信を行えるようにした無線タグが普及しつつある。位置情報を有する無線タグを空港や駅構内などに設け、現在位置推定部１３内部に設けられた無線タグリーダ（図示せず）が無線通信によってこの位置情報を読み取り、現在位置を推定する。
【００１６】
なお、本実施形態においては、現在位置に関する位置情報を直接外部から取得する例として、ＧＰＳ受信機と無線タグリーダによる現在位置の推定方法について説明したが、これに限らず、移動通信端末は位置情報を外部から無線通信により入手可能な構成を備えていればよい。
【００１７】
以上のような現在位置推定部１３を有する移動通信端末の動作を図２のフローチャートを用いて説明する。まず、上述したように現在位置推定部１３が現在位置の推定を行う（ステップＳ２１）。移動通信端末がＧＰＳ受信機や無線タグリーダなどを有している場合には、現在位置推定部１３が比較的精度の高い位置推定を行うことができる。現在位置推定部１３は現在位置の推定結果をプロファイル決定部１４へ送り、プロファイル決定部１４は記憶部１２中の地域別プロファイルデータベースを参照し、現在位置において利用可能なサービスが存在するかどうか判定する（ステップＳ２２）。利用可能なサービスが存在しない場合は処理が終了する。また、利用可能なサービスが存在する場合、プロファイル決定部１４は利用可能なサービスの中から利用するサービスを選択する（ステップＳ２３）。この選択は、移動通信端末のディスプレイ上に利用可能なサービスのリストを表示させ、利用するサービスをユーザに選択させることによって行われてもよいし、予め設定された、地域ごとの利用するサービスの優先順位に従って、プロファイル決定部１４が利用するサービスを選択してもよい。
【００１８】
続いてプロファイル決定部１４は、そのサービスを利用するために必要なプロファイルを決定する（ステップＳ２４）。プロファイルの決定後、プロファイルが示す無線システムに対応する無線機１１が通信を開始する（ステップＳ２５）。
【００１９】
次に、移動通信端末が別の方法によって現在位置を推定する方法について説明する。第一の方法は、現在位置推定部１３が現在までに所属したことのある地域の履歴情報を参照し、この履歴情報に基づいて、現在位置を推定する方法である。この方法による移動通信端末の動作は以下のとおりである。なお、記憶部１２は、現在までに移動通信端末が所属したことがある地域を地域履歴情報として記憶しているものとする。現在位置推定部１３は記憶部１２中の地域履歴情報を参照し、現在までに所属したことのある地域の優先順位を決定する。例えば、移動通信端末がニューヨークに１０回、ロンドンに３回、北京に２回所属したことが地域履歴情報によって示されている場合、現在位置推定部１３はニューヨーク、ロンドン、北京の順に、各地域で使用されるプロファイルの優先順位を決定する。
【００２０】
続いて現在位置推定部１３は推定結果をプロファイル決定部１４に送り、プロファイル決定部１４は推定結果が示す優先順位に従って、使用するプロファイルを決定する。上述した例では、移動通信端末はまずニューヨークで使用されるプロファイルを用いて通信を試み、それが失敗した場合にはロンドン、北京の順に、それぞれにおいて使用されるプロファイルを用いて通信を試みる。通信が成功した場合には、その通信に用いたプロファイルが属する地域に所属したことが地域履歴情報に追加され、移動通信端末はこのプロファイルを用いて通信を行う。推定結果に基づく全ての地域のプロファイルを用いた通信が失敗した場合、移動通信端末は現在位置の推定をもう一度行うか、ユーザに処理中止の確認を行った後、処理を中止する。
【００２１】
第二の方法は、移動通信端末にセンサを設け、このセンサが得る外部の環境に関する情報に基づいて現在位置推定部１３が現在位置を推定する方法である。図３はこの方法による現在位置推定部１３の構成を示すブロック図である。図において、３１は現在の日付および時刻を情報として有する日時情報部である。３２は温度センサ、３３は湿度センサであり、それぞれ外部の温度および湿度を検出する。３４は磁気センサであり、地磁気を検出する。３５は高度センサであり、外部の圧力を検出することにより高度を検出する。３６は気候地理地域推定部であり、日時情報部３１〜高度センサ３５が検出した情報に基づいて現在の位置を推定する。また、記憶部１２は日付情報・時間情報・温度情報・湿度情報・磁気情報・高度情報などの環境情報と地域情報とが関連付けられた気候地理情報データベースを有する。なお、この気候地理情報データベースが地域別プロファイルデータベースと同様に、新しいサービスの導入や環境の変化に対応して更新されるようにしてもよい。
【００２２】
この方法による移動通信端末の動作は以下のとおりである。気候地理地域推定部３６は日時情報部３１〜高度センサ３５のそれぞれから情報を受け、記憶部１２中の気候地理情報データベースを参照し、現在位置の推定を行う。このとき、気候地理地域推定部３６は現在位置の推定地域として複数の地域を候補として選択し、可能性の高い方から順番にプロファイル決定部１４へ送る。プロファイル決定部１４は記憶部１２中の地域別プロファイルデータベースを参照し、推定結果に従って可能性の高い地域から順番にその地域におけるプロファイルを使用して通信を試みる。推定結果に基づく全ての地域のプロファイルを用いた通信が失敗した場合、移動通信端末は現在位置の推定をもう一度行うか、ユーザに確認を行った後処理を中止する。
【００２３】
第三の方法は、移動通信端末の電源が停止されてから再度電源が投入されるまでの時間から現在位置を推定する方法である。ユーザが飛行機を利用して他の国または地域へ移動する場合、ユーザは飛行機に搭乗している間は移動通信端末の電源を切り、目的地に到着したら電源を入れることが多い。この、電源が停止している間の時間から、現在位置推定部１３が現在位置を推定する。この動作は以下のように行われる。現在位置推定部１３はＧＰＳ受信機または無線タグリーダからの情報により、移動通信端末の位置を推定する。記憶部１２には予め複数の空港の位置が格納されており、現在位置推定部１３は記憶部１２中の空港の位置を参照し、推定した現在位置が空港内であることを知る。あるいは、無線タグに現在位置と共に現在位置が空港であることを示す情報が格納されている場合には、無線タグリーダがそれらを読み取り、現在位置が空港内であることを知るようにしてもよい。
【００２４】
続いてユーザによって電源停止処理が指示されたとき、記憶部１２はそのときの時刻を電源停止時刻として記憶する。その後ユーザによって電源が投入されたとき、現在位置推定部１３は電源の投入動作を検出すると共に、記憶部１２中の電源停止時刻を読み出し、この電源停止時刻と現在時刻との時間差から電源の停止時間を求める。記憶部１２には、各空港間の飛行機による移動の所要時間が所要時間データベースとして予め格納されている。現在位置推定部１３は所要時間データベースを参照し、出発地の空港からの移動時間が電源の停止時間に近い順に、到着地の空港を現在位置の候補として選択する。これ以降の動作は第二の方法と同様であり、プロファイル決定部１４が推定結果に従って可能性の高い地域から順番にプロファイルを使用して通信を試みる。到着地として可能性のある全ての空港を現在位置と仮定して通信テストを行っても通信に成功しなかった場合、ユーザが移動しなかった可能性があるので、プロファイル決定部１４は出発地のプロファイルを用いて通信を試みる。
【００２５】
なお、上述した第一の方法〜第三の方法は、あくまでＧＰＳ受信機や無線タグリーダなどによる精度の高い推定が困難な場合に行われるのであり、ＧＰＳ受信機や無線タグリーダなどによる精度の高い推定結果が得られた場合には、プロファイル決定部１４はその推定結果を優先してプロファイルの決定を行う。また、上述した各方法を組み合わせ、現在位置の推定精度を向上させてもよい。
【００２６】
次に、上述した方法によって移動通信端末が現在位置の推定を行う場合の動作例を図４および図５を用いて説明する。ここでは、現在位置推定部１３中の気候地理地域推定部３６が日時情報部３１〜高度センサ３５から得る情報に基づいて現在位置を推定する場合を例として説明する。まず、現在位置推定部１３は日時情報部３１〜高度センサ３５から各種情報を得ると共に、記憶部１２中の気候地理データベースを参照する。現在位置推定部１３は気候地理データベース中の地域情報が示す全てあるいは予め設定された範囲の地域を推定対象として、推定対象地域リストを作成する。
【００２７】
現在位置推定部１３は地域情報に関連付けられている日時・温度などの情報と日時情報部３１〜高度センサ３５より得た情報とを比較し、両者が近い順に推定対象地域リスト中の地域に優先度を設定し、優先度の最も高い地域を現在位置と推定する（ステップＳ４０１）。続いて現在位置推定部１３は今回推定した地域を次回以降の推定対象から除外するため、推定対象地域リストから今回推定した地域を削除する（ステップＳ４０２）。これにより、推定した現在位置が間違っており、推定を繰り返し行う場合の推定動作の効率を上げることができる。
【００２８】
推定結果はプロファイル決定部１４へ送られ、プロファイル決定部１４はこの推定結果および記憶部１２中の地域別プロファイルデータベースを参照し、利用可能なサービスが現在位置に存在するかどうか判断する（ステップＳ４０３）。利用可能なサービスが現在位置に存在しない場合、ステップＳ４１２へ進む。ステップＳ４１２においては、ユーザから処理を中止する指示がなされたかどうかが判断され、指示がなされた場合は処理が終了し、指示がなされていない場合はステップＳ４２２に進む。
【００２９】
ステップＳ４０３において利用可能なサービスが現在位置に存在する場合、プロファイル決定部１４は地域別プロファイルデータベースを参照し、現在位置で提供されているサービスのリストを作成する（ステップＳ４０４）。このとき、提供されているサービスが複数ある場合には、プロファイル決定部１４は記憶部１２中の設定あるいは過去に利用したサービスの履歴などを参照し、それぞれのサービスに優先順位を付ける。続いてプロファイル決定部１４はリスト中の優先順位の最も高いサービスを選択し、そのサービスに対応したプロファイルを決定し（ステップＳ４０６）、無線機１１がこのプロファイルに従って通信テストを開始する（ステップＳ４０７）。
【００３０】
続いて、移動通信端末は通信テストの結果に基づき、通信が可能であるかどうか判断する（ステップＳ４０８）。通信が可能であると判断した場合、移動通信端末は他のサービスの通信状態もサーチするかどうか判断する（ステップＳ４０９）。この判断はユーザが行ってもよいし、移動通信端末に予めなされた設定に従い、移動通信端末が自動で行ってもよい。他のサービスの通信状態をサーチすると判断された場合には、プロファイル決定部１４は通信に成功したサービスをリストから削除し（ステップＳ４１０）、リストに他のサービスが存在するかどうか判断する（ステップＳ４１１）。リストに他のサービスが存在する場合はステップＳ４０５に戻り、他のサービスの選択が行われる。一方、リストに他のサービスが存在しなかった場合はステップＳ４１４へ進む。
【００３１】
ステップＳ４０８において、選択されたサービスによる通信が不可能であると判断した場合、移動通信端末はユーザから処理を中止する指示がなされたかどうか判断する（ステップＳ４１３）。処理を中止する指示がなされなかった場合にはステップＳ４１６に進む。また、処理を中止する指示がなされた場合、移動通信端末は通信に成功したサービスが存在するかどうか判断する（ステップＳ４１４）。通信に成功したサービスが存在しなかった場合は処理が終了し、通信に成功したサービスが存在する場合は、利用するサービスと対応するプロファイルをプロファイル決定部１４が決定して通信が開始される（ステップＳ４１５）。
【００３２】
ステップＳ４１６において移動通信端末は、通信に成功したサービスが存在するかどうか判断する。ステップＳ４０１〜ステップＳ４０８のステップを一度だけ経由してステップＳ４１６に至った場合、現在位置が推定されてプロファイルが決定したものの、通信テストに失敗したことになる。この場合、ステップＳ４１６においては、通信に成功したサービスが存在しないと判断され、処理はステップＳ４２２へ進み、それ以降、現在位置の推定が再度行われる。また、ステップＳ４０１〜ステップＳ４０８のステップを何度か経由してステップＳ４１６に至った場合、通信に成功したサービスが存在するのでステップＳ４１７へ進む。
【００３３】
ステップＳ４１７に至った場合、ステップＳ４０８において通信テストに失敗したサービスが少なくとも一つ存在するので、現在位置の推定が誤っている可能性がある。そこで移動通信端末はステップＳ４１７以後、現在位置推定の動作を再び行う。ステップＳ４１７において移動通信端末は、通信に成功したサービスを含み、さらに１種類以上のサービスを含む地域が推定対象地域リストに存在するかどうか判断する。この判定条件が満たされた場合、通信に成功したサービスを含み、さらに１種類以上のサービスを含む地域を推定対象として、現在位置推定部１３は現在位置の推定を行う（ステップＳ４１８）。
【００３４】
続いて、現在位置推定部１３は今回推定した地域を次回以降の推定対象から除外するため、推定対象地域リストから今回推定した地域を削除する（Ｓ４１９）。推定結果はプロファイル決定部１４へ送られ、プロファイル決定部１４はこの推定結果および記憶部１２中の地域別プロファイルデータベースに基づいて、現在位置で提供されているサービスのリストを作成する（ステップＳ４２０）。また、通信テストの効率化を図るため、プロファイル決定部１４は以前のステップにおいて通信に成功したサービスをこのリストから除外する（ステップＳ４２１）。続いてステップＳ４０５へ進み、以降は前述した通信テストが行われる。また、ステップＳ４１７において判定条件が満たされなかった場合、通信に成功したサービスと対応したプロファイルをプロファイル決定部１４が決定し、通信が開始される（ステップＳ４２３）。
【００３５】
ステップＳ４２２において現在位置推定部１３は、推定対象地域リストを参照し、推定対象となる地域が他にも存在するかどうか判断する（ステップＳ４２２）。ステップＳ４０３・ステップＳ４１２を経由してステップＳ４２２に至った場合も、ステップＳ４０８・ステップＳ４１３・ステップＳ４１６を経由してステップＳ４２２に至った場合も、現在位置の推定結果が誤っている可能性があり、現在位置の推定を再度行う必要がある。ステップＳ４２２において、推定対象となる地域が存在しない場合は処理が終了する。また、推定対象となる地域が存在する場合は、ステップＳ４０１に戻り、現在位置の推定が再度行われる。
【図面の簡単な説明】
【００３６】
【図１】この発明の一実施形態による移動通信端末の構成を示すブロック図である。
【図２】同実施形態における移動通信端末の動作を示すフローチャートである。
【図３】同実施形態における現在位置推定部１３の構成を示すブロック図である。
【図４】同実施形態における移動通信端末の他の動作を示すフローチャートである。
【図５】同実施形態における移動通信端末の他の動作を示すフローチャートである。
【符号の説明】
【００３７】
１１・・・無線機、１２・・・記憶部、１３・・・現在位置推定部、１４・・・プロファイル決定部、３１・・・日時情報部、３２・・・温度センサ、３３・・・湿度センサ、３４・・・磁気センサ、３５・・・高度センサ、３６・・・気候地理地域推定部
【図１】
2005079819.tif 000003
【図２】
2005079819.tif 000004
【図３】
2005079819.tif 000005
【図４】
2005079819.tif 000006
【図５】
2005079819.tif 000007